(57)【要約】【課題】点灯効率の向上を図ることが可能な点灯装置及び照明器具を提供する。【解決手段】ブリーダ回路１３は、少なくとも消灯期間に整流回路１０の出力端間にブリーダ電流Ｉ１を流す。電源回路１４は、定電圧ダイオードＺＤ２とコンデンサＣ１１の並列回路を有し、コンデンサＣ１１から放電される制御電源電流Ｉccを駆動回路に供給する。さらに、ブリーダ回路１３は、ブリーダ電流Ｉ１を並列回路（定電圧ダイオードＺＤ２及びコンデンサＣ１１）に供給する。電源回路１４は、ブリーダ電流Ｉ１で充電されるコンデンサＣ１１から駆動回路（第１駆動回路１１、第２駆動回路１２）に給電する。【選択図】        図１
2018101548.tif 000002
【特許請求の範囲】
【請求項１】
交流電圧を整流して脈流電圧を出力する整流回路と、
前記脈流電圧の１周期内において、固体光源に電流を供給する点灯期間と前記固体光源に電流を供給しない消灯期間とを前記脈流電圧の電圧値に応じて切り替える駆動回路と、
少なくとも前記消灯期間に前記整流回路の出力端間にブリーダ電流を流すブリーダ回路と、
定電圧回路とコンデンサの並列回路を有し、前記コンデンサから放電される電流を前記駆動回路に供給する電源回路とを備え、
前記ブリーダ回路は、前記ブリーダ電流を前記並列回路に供給し、
前記電源回路は、前記ブリーダ電流で充電される前記コンデンサから前記駆動回路に給電する
ことを特徴とする点灯装置。
【請求項２】
前記ブリーダ回路は、前記点灯期間に流す前記ブリーダ電流を、前記消灯期間に流す前記ブリーダ電流よりも小さくする
ことを特徴とする請求項１記載の点灯装置。
【請求項３】
前記ブリーダ回路は、前記ブリーダ電流を定電流化する
ことを特徴とする請求項１又は２記載の点灯装置。
【請求項４】
前記ブリーダ回路は、前記ブリーダ電流の大きさを前記脈流電圧の電圧値に比例させる
ことを特徴とする請求項１又は２記載の点灯装置。
【請求項５】
前記定電圧回路は、定電圧ダイオードを有している
ことを特徴とする請求項１〜４のいずれか１項に記載の点灯装置。
【請求項６】
前記固体光源に電気的に並列接続されて前記固体光源に供給する電流を平滑する平滑コンデンサを備え、
前記ブリーダ回路は、トランジスタによって前記ブリーダ電流を調整するように構成され、
前記トランジスタは、少なくとも前記消灯期間においては前記平滑コンデンサから給電されて動作する
ことを特徴とする請求項１〜５のいずれか１項に記載の点灯装置。
【請求項７】
前記消灯期間は、第１消灯期間と第２消灯期間を含み、
前記ブリーダ回路は、少なくとも前記第１消灯期間に第１ブリーダ電流を流す第１ブリーダ回路と、前記第１消灯期間における前記脈流電圧の電圧値よりも前記脈流電圧の電圧値が高い前記第２消灯期間に第２ブリーダ電流を流す第２ブリーダ回路とを有し、
前記電源回路は、第１定電圧回路と第１コンデンサの並列回路を有し、前記第１消灯期間に前記第１コンデンサから放電される電流を前記駆動回路に供給する第１電源回路と、第２定電圧回路と第２コンデンサの並列回路を有し、前記第２消灯期間に前記第２コンデンサから放電される電流を前記駆動回路に供給する第２電源回路とを有し、
前記第２ブリーダ回路は、前記第２ブリーダ電流を前記第２電源回路に供給し、
前記第１ブリーダ回路は、前記第１ブリーダ電流を前記第１電源回路に供給し、かつ、前記第１消灯期間における前記第１ブリーダ電流を、前記第２消灯期間における前記第１ブリーダ電流よりも小さくする
ことを特徴とする請求項１〜６のいずれか１項に記載の点灯装置。
【請求項８】
請求項１〜７のいずれか１項に記載の点灯装置と、前記点灯装置を保持する本体とを備える
ことを特徴とする照明器具。
【発明の詳細な説明】
【技術分野】
【０００１】
本発明は、点灯装置及び照明器具に関し、より詳細には、交流電源から供給される交流電圧を直流電圧に変換せずに固体光源に供給して点灯させる点灯装置及び当該点灯装置を備えた照明器具に関する。
【背景技術】
【０００２】
従来例として、特許文献１記載のＬＥＤ照明機器を例示する。特許文献１記載のＬＥＤ照明機器（以下、従来例という）は、複数のＬＥＤ（Light Emitting Diode）の直列回路からなるＬＥＤストリングと、交流電圧を全波整流する整流器と、発光制御部と、ブリーダ回路とを備えている。このうち、整流器と発光制御部とブリーダ回路が点灯装置に含まれる。発光制御部は、整流器を介してＬＥＤストリングに供給される入力電圧（脈流電圧）の変動に応じてＬＥＤの点灯数を変えながらＬＥＤストリングに流れる駆動電流を定電流制御する。ブリーダ回路は、交流電源からＬＥＤ照明機器に交流電圧を印加する電路上に設けられた調光器に対してブリーダ電流を供給する。調光器は、トライアックを有している。調光器は、トライアックを制御することで交流電源からＬＥＤ照明機器に供給される交流電圧の位相を制御してＬＥＤ照明機器を調光制御するように構成されている。
【先行技術文献】
【特許文献】
【０００３】
【特許文献１】特開２０１３−２２５３９３号公報
【発明の概要】
【発明が解決しようとする課題】
【０００４】
ところで、ブリーダ電流は調光器の回路動作やトライアックの自己保持に必要な電流であり、ＬＥＤの点灯に寄与しない。つまり、従来例は、ブリーダ回路を備えることで点灯効率（ルーメン／ワット）の低下を招いている。
【０００５】
本発明の目的は、点灯効率の向上を図ることが可能な点灯装置及び照明器具を提供することである。
【課題を解決するための手段】
【０００６】
本発明の一態様に係る点灯装置は、交流電圧を整流して脈流電圧を出力する整流回路を備える。また、前記点灯装置は、前記脈流電圧の１周期内において、固体光源に電流を供給する点灯期間と前記固体光源に電流を供給しない消灯期間とを前記脈流電圧の電圧値に応じて切り替える駆動回路を備える。さらに、前記点灯装置は、少なくとも前記消灯期間に前記整流回路の出力端間にブリーダ電流を流すブリーダ回路と、定電圧回路とコンデンサの並列回路を有し、前記コンデンサから放電される電流を前記駆動回路に供給する電源回路とを備える。前記ブリーダ回路は、前記ブリーダ電流を前記並列回路に供給する。前記電源回路は、前記ブリーダ電流で充電される前記コンデンサから前記駆動回路に給電する。
【０００７】
本発明の一態様に係る照明器具は、前記点灯装置と、前記点灯装置を保持する本体とを備える。
【発明の効果】
【０００８】
本発明は、点灯効率の向上を図ることが可能な点灯装置及び照明器具を提供することができるという効果がある。
【図面の簡単な説明】
【０００９】
【図１】図１は、本発明の実施形態１に係る点灯装置の回路図である。
【図２】図２は、同上の点灯装置の動作説明用の回路図である。
【図３】図３は、同上の点灯装置の動作説明用の波形図である。
【図４】図４は、本発明の実施形態２に係る点灯装置の回路図である。
【図５】図５は、同上の点灯装置の動作説明用の波形図である。
【図６】図６は、同上の点灯装置の別の動作説明用の波形図である。
【図７】図７は、本発明の実施形態３に係る点灯装置の回路図である。
【図８】図８は、同上の点灯装置の位相制御されていないときの動作説明用の波形図である。
【図９】図９は、同上の点灯装置の位相制御されているときの動作説明用の波形図である。
【図１０】図１０は、本発明の実施形態４に係る点灯装置の回路図である。
【図１１】図１１は、本発明の実施形態５に係る点灯装置のブリーダ回路及び電源回路を含む一部省略した回路図である。
【図１２】図１２は、同上の点灯装置の動作説明用の波形図である。
【図１３】図１３は、本発明の実施形態６に係る点灯装置の回路図である。
【図１４】図１４は、同上の点灯装置の動作説明用の波形図である。
【図１５】図１５は、同上の点灯装置の別の動作説明用の波形図である。
【図１６】図１６Ａは、本発明の実施形態７に係る照明器具の斜視図である。図１６Ｂは、同上の照明器具の変形例１の斜視図である。図１６Ｃは、同上の照明器具の変形例２の斜視図である。
【発明を実施するための形態】
【００１０】
以下、本発明の実施形態に係る点灯装置、並びに本発明の実施形態に係る照明器具を説明する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１１】
（実施形態１）
実施形態１に係る点灯装置１Ａは、図１に示すように、整流回路１０と、第１駆動回路１１と、第２駆動回路１２と、ブリーダ回路１３と、電源回路１４と、基準電圧回路１５と、フィルタ回路１６とを備えている。点灯装置１Ａは、交流電源４から供給される交流電圧（例えば、電圧実効値が１００［Ｖ］、電源周波数が５０［Ｈｚ］又は６０［Ｈｚ］である正弦波の交流電圧）を交直変換せずに少なくとも１つの固体光源に供給して点灯する。固体光源は、例えば、照明用白色ＬＥＤである。ただし、固体光源は、有機エレクトロルミネッセンス素子、あるいは半導体レーザなどのＬＥＤ以外の固体光源でも構わない。
【００１２】
整流回路１０は、４つのダイオードＤ１〜Ｄ４のブリッジ回路（ダイオードブリッジ）で構成されている。整流回路１０は、２つの交流入力端間に交流電源４から入力される交流電圧を全波整流し、２つの脈流出力端間から脈流電圧（入力電圧Ｖin）及び脈流電流（入力電流Ｉin）を出力する。２つの脈流出力端のうちの一方の脈流出力端に往路の電路（第１電路１７）が電気的に接続されている。また、２つの脈流出力端のうちの他方の脈流出力端に復路の電路（第２電路１８）が電気的に接続されている。
【００１３】
フィルタ回路１６は、第１電路１７に挿入されるチョークコイルＬ１と、第１電路１７と第２電路１８の間に電気的に接続される２つのアクロスザラインコンデンサＣ１、Ｃ２とを有している。フィルタ回路１６は、交流電源４と整流回路１０を電気的に接続している電源ラインに重畳したサージ電圧をフィルタリングすることにより、第１駆動回路１１、第２駆動回路１２、ブリーダ回路１３、電源回路１４及び基準電圧回路１５を保護している。
【００１４】
第１電路１７の末端に第１ＬＥＤアレイ２の正極が電気的に接続されている。また、第１ＬＥＤアレイ２の負極に第２ＬＥＤアレイ３の正極が電気的に接続されている。第１ＬＥＤアレイ２は、３つのＬＥＤ２０の直列回路で構成されている。また、第２ＬＥＤアレイ３は、２つのＬＥＤ３０の直列回路で構成されている。第１ＬＥＤアレイ２及び第２ＬＥＤアレイ３は、それぞれの正極と負極の間に印加される電圧がそれぞれのオン電圧（第１オン電圧Ｖ２１及び第２オン電圧Ｖ２２）以上のときに導通して発光（点灯）する。第１オン電圧Ｖ２１と第２オン電圧Ｖ２２の合計値（Ｖ２１＋Ｖ２２）は、入力電圧Ｖinのピーク値（例えば、１００×√２≒１４１［Ｖ］）よりも低い値である。例えば、合計値は、ピーク値よりも１０［％］〜２０［％］低い値であることが好ましい。ただし、第１ＬＥＤアレイ２及び第２ＬＥＤアレイ３を構成するＬＥＤ２０、３０の個数は、３つ及び２つに限定されない。また、点灯装置１Ａが点灯させるＬＥＤアレイは２つに限定されず、３つ以上のＬＥＤアレイを点灯させるように構成されてもよい。なお、第１ＬＥＤアレイ２及び第２ＬＥＤアレイ３は、点灯装置１Ａの構成要素に含まれない。
【００１５】
第１ＬＥＤアレイ２の正極と負極の間に平滑用のコンデンサＣ１２が電気的に並列接続されている。第２ＬＥＤアレイ３の正極と負極の間にも平滑用のコンデンサＣ１３が電気的に並列接続されている。これら２つのコンデンサＣ１２、Ｃ１３は、第１ＬＥＤアレイ２及び第２ＬＥＤアレイ３に印加される電圧及び電流を平滑することにより、第１ＬＥＤアレイ２及び第２ＬＥＤアレイ３から放射される光の変動を抑制している。第１ＬＥＤアレイ２の負極は、逆流防止用のダイオードＤ１１のアノードと電気的に接続されている。また、第２ＬＥＤアレイ３の負極は、逆流防止用のダイオードＤ１２のアノードと電気的に接続されている。
【００１６】
第１駆動回路１１は、トランジスタＱ１と、オペアンプＵ２と、コンデンサＣ２５と、抵抗Ｒ２５〜Ｒ２７とを備えている。トランジスタＱ１は、例えばエンハンスメント形のｎチャンネルＭＯＳＦＥＴ（Metal-Oxide-Semiconductor Field Effect Transistor）である。トランジスタＱ１のドレインはダイオードＤ１１のカソードと電気的に接続されている。トランジスタＱ１のソースは抵抗Ｒ２７を介して第２電路１８と電気的に接続されている。トランジスタＱ１のゲートは、抵抗Ｒ２５を介してオペアンプＵ２の出力端子と電気的に接続されている。オペアンプＵ２のプラス入力端子は、基準電圧回路１５から第１基準電圧Ｖ１が入力される。オペアンプＵ２のマイナス入力端子は、抵抗Ｒ２６を介してトランジスタＱ１のソースと電気的に接続されている。コンデンサＣ２５は、オペアンプＵ２の出力端子とマイナス入力端子に電気的に直列接続されている。オペアンプＵ２は、トランジスタＱ１のドレイン電流に比例した抵抗Ｒ２７の両端電圧を第１基準電圧Ｖ１に一致させるように出力電圧（トランジスタＱ１のゲート電圧）を調整する。つまり、第１駆動回路１１は、第１ＬＥＤアレイ２に流れる電流（トランジスタＱ１のドレイン電流）を第１基準電圧Ｖ１に対応した第１目標値に一致させて定電流化するように構成されている。ここで、コンデンサＣ２５及び抵抗Ｒ２５、Ｒ２６は、オペアンプＵ２の発振を防止するための位相補償回路を構成している。
【００１７】
第２駆動回路１２は、トランジスタＱ２と、オペアンプＵ３と、コンデンサＣ１６と、抵抗Ｒ３０〜Ｒ３２とを備えている。トランジスタＱ２は、例えばエンハンスメント形のｎチャンネルＭＯＳＦＥＴである。トランジスタＱ２のドレインはダイオードＤ１２のカソードと電気的に接続されている。トランジスタＱ２のソースは抵抗Ｒ３２を介して第１駆動回路１１の抵抗Ｒ２７と電気的に直列接続されている。トランジスタＱ２のゲートは、抵抗Ｒ３０を介してオペアンプＵ３の出力端子と電気的に接続されている。オペアンプＵ３のプラス入力端子は、基準電圧回路１５から第２基準電圧Ｖ２が入力される。オペアンプＵ３のマイナス入力端子は、抵抗Ｒ３１を介してトランジスタＱ２のソースと電気的に接続されている。コンデンサＣ１６は、オペアンプＵ３の出力端子とマイナス入力端子に電気的に直列接続されている。オペアンプＵ３は、トランジスタＱ２のドレイン電流に比例した、抵抗Ｒ３２と抵抗Ｒ２７の直列回路の両端電圧を第２基準電圧Ｖ２に一致させるように出力電圧（トランジスタＱ２のゲート電圧）を調整する。つまり、第２駆動回路１２は、第２ＬＥＤアレイ３に流れる電流（トランジスタＱ２のドレイン電流）を第２基準電圧Ｖ２に対応した第２目標値に一致させて定電流化するように構成されている。ここで、コンデンサＣ１６及び抵抗Ｒ３０、Ｒ３１は、オペアンプＵ３の発振を防止するための位相補償回路を構成している。
【００１８】
電源回路１４は、コンデンサＣ１１と定電圧回路（定電圧ダイオードＺＤ２）の並列回路で構成されている。コンデンサＣ１１は、ブリーダ回路１３から供給されるブリーダ電流によって充電される。定電圧ダイオードＺＤ２は、コンデンサＣ１１の両端電圧を所定電圧（例えば、６〜１５［Ｖ］）以下にクランプする。電源回路１４は、コンデンサＣ１１に充電された電荷を放電することで第１駆動回路１１及び第２駆動回路１２に電流（以下、制御電源電流と呼ぶ。）Ｉccを供給する。なお、制御電源電流Ｉccは、第１駆動回路１１のオペアンプＵ２及び第２駆動回路１２のオペアンプＵ３の各々消費電流の最大値（例えば、１［ｍＡ］）の合計よりも大きいことが好ましい。
【００１９】
基準電圧回路１５は、３つの分圧抵抗Ｒ２１、Ｒ２３、Ｒ２４と、２つのコンデンサＣ１４、Ｃ１５とを有している。分圧抵抗Ｒ２３の第１端がコンデンサＣ１１の高電位側の端子（定電圧ダイオードＺＤ２のカソードと電気的に接続されている端子）と電気的に接続されている。分圧抵抗Ｒ２３の第２端が分圧抵抗Ｒ２４の第１端と電気的に接続されている。分圧抵抗Ｒ２４の第２端が分圧抵抗Ｒ２１の第１端と電気的に接続されている。分圧抵抗Ｒ２１の第２端が第２電路１８に電気的に接続されている。コンデンサＣ１４は、分圧抵抗Ｒ２１と電気的に並列接続されている。コンデンサＣ１５は、分圧抵抗Ｒ２１及びＲ２４と電気的に並列接続されている。つまり、基準電圧回路１５は、電源回路１４の定格電源電圧（定電圧ダイオードＺＤ２のツェナー電圧にほぼ等しい電圧）Ｖcc（図２参照）を３つの分圧抵抗Ｒ２１、Ｒ２３、Ｒ２４で分圧して第１基準電圧Ｖ１を生成している。また、基準電圧回路１５は、電源回路１４の定格電源電圧Ｖccを１つの分圧抵抗Ｒ２３と、２つの分圧抵抗Ｒ２１及びＲ２４の合成抵抗とで分圧して第２基準電圧Ｖ２を生成している。なお、第２基準電圧Ｖ２は、第１基準電圧Ｖ１よりも高くなる。
【００２０】
ブリーダ回路１３は、トランジスタＱ５、シャントレギュレータＵ１、定電圧ダイオードＺＤ１、抵抗Ｒ１、Ｒ３、Ｒ８、Ｒ９、ダイオードＤ６及びコンデンサＣ１０を有している。ダイオードＤ６のアノードが第１電路１７に電気的に接続されている。ダイオードＤ６のカソードがトランジスタＱ５のドレインに電気的に接続されている。トランジスタＱ５は、エンハンスメント形のｎチャンネルＭＯＳＦＥＴである。トランジスタＱ５のソースが抵抗Ｒ８の第１端に電気的に接続されている。抵抗Ｒ８の第２端が電源回路１４の正極（定電圧ダイオードＺＤ１のカソード）と電気的に接続されている。トランジスタＱ５のゲートは、抵抗Ｒ９の第１端、シャントレギュレータＵ１のカソード端子、コンデンサＣ１０の一端及び定電圧ダイオードＺＤ１のカソードと電気的に接続されている。抵抗Ｒ９の第２端は第１電路１７に電気的に接続されている。シャントレギュレータＵ１のアノード端子と定電圧ダイオードＺＤ１のアノードが第２電路１８に電気的に接続されている。シャントレギュレータＵ１のリファレンス端子が抵抗Ｒ３の第１端及びコンデンサＣ１０の他端と電気的に接続されている。抵抗Ｒ３の第２端が第２電路１８に電気的に接続されている。抵抗Ｒ１は、第２電路１８においてシャントレギュレータＵ１のアノード端子と抵抗Ｒ３との間に挿入されている。
【００２１】
トランジスタＱ５のゲートは、抵抗Ｒ９を介してバイアスされる。ゲートがバイアスされることにより、トランジスタＱ５が動作してドレイン電流が流れる。ドレイン電流は、第１電路１７からダイオードＤ６、トランジスタＱ５、抵抗Ｒ８及び電源回路１４を経由して第２電路１８（抵抗Ｒ１）に流れる。シャントレギュレータＵ１は、アノード端子から見たリファレンス端子の電圧を内部の基準電圧に一致させるように、カソード端子からアノード端子に流す電流を調整するように構成された集積回路である。すなわち、シャントレギュレータＵ１は、抵抗Ｒ１に流れる電流が増えてリファレンス端子の電圧が上昇すると、カソード端子からアノード端子に流す電流を増加させる。シャントレギュレータＵ１のカソード端子からアノード端子に流れる電流が増加すれば、抵抗Ｒ９の両端電圧が上昇することでトランジスタＱ５のゲート電圧が低下してトランジスタＱ５のドレイン電流、すなわち、抵抗Ｒ１に流れる電流が減少する。また、シャントレギュレータＵ１は、抵抗Ｒ１に流れる電流が減少してリファレンス端子の電圧が下降すると、カソード端子からアノード端子に流す電流を減少させる。シャントレギュレータＵ１のカソード端子からアノード端子に流れる電流が減少すれば、抵抗Ｒ９の両端電圧が下降することでトランジスタＱ５のゲート電圧が上昇してトランジスタＱ５のドレイン電流、すなわち、抵抗Ｒ１に流れる電流が増加する。つまり、シャントレギュレータＵ１は、抵抗Ｒ９に流す電流を定電流化することでトランジスタＱ５のゲート電圧を一定に保ち、トランジスタＱ５のドレイン電流（ブリーダ電流）を定電流化している。なお、コンデンサＣ１０は、リファレンス端子の電圧変化を緩やかにすることでシャントレギュレータＵ１の応答速度を低下させている。また、定電圧ダイオードＺＤ１は、シャントレギュレータＵ１のカソード端子とアノード端子間に過電圧が印加されることを防止している。
【００２２】
次に、図２及び図３を参照して点灯装置１Ａの動作を詳しく説明する。図３は、入力電圧Ｖinの１周期（交流電圧の半周期：例えば、位相：０［rad］〜π［rad］）における入力電流Ｉinの変化を表している。入力電圧Ｖinがゼロクロス（位相：０［rad］）を過ぎてブリーダ回路１３のトランジスタＱ５が動作を開始するまでの区間Ｍ０では、第１ＬＥＤアレイ２、第２ＬＥＤアレイ３及びブリーダ回路１３が全て停止している。そのため、入力電流Ｉinはゼロとなる。
【００２３】
そして、入力電圧Ｖinが上昇して電源回路１４の定電圧ダイオードＺＤ２の両端電圧が定電圧ダイオードＺＤ２のツェナー電圧を超えると、ブリーダ回路１３から電源回路１４にブリーダ電流Ｉ１が流れてコンデンサＣ１１が充電される（図１及び図２参照）。その結果、電源回路１４から第１駆動回路１１及び第２駆動回路１２へ制御電源電流Ｉccが供給される。ここで、ブリーダ回路１３は、調光器のトライアックの自己保持に必要な電流（約１０［ｍＡ］）よりも大きい値（例えば、２０［ｍＡ］〜４０［ｍＡ］）のブリーダ電流Ｉ１を流すように構成されている。ブリーダ回路１３が動作を開始する位相から入力電圧Ｖinが第１オン電圧Ｖ２１以上となる位相までの区間（図３における区間Ｍ１）では、第１ＬＥＤアレイ２及び第２ＬＥＤアレイ３が導通せずに消灯している。また、第１駆動回路１１及び第２駆動回路１２は停止している。
【００２４】
入力電圧Ｖinが第１オン電圧Ｖ２１以上になると、第１ＬＥＤアレイ２が導通し、かつ、第１駆動回路１１が動作する。第１駆動回路１１が動作すると、第１電路１７から第１ＬＥＤアレイ２、ダイオードＤ１１、第１駆動回路１１を経て第２電路１８に電流Ｉ２が流れて第１ＬＥＤアレイ２が点灯する（図２参照）。第１駆動回路１１は、電源回路１４から制御電源電流Ｉccが供給され、第１ＬＥＤアレイ２に流れる電流Ｉ２を第１基準電圧Ｖ１に対応した第１目標値に一致させて定電流化するように動作する。ここで、第２電路１８に電流Ｉ２が流れることで抵抗Ｒ１の両端電圧が上昇する。そのため、ブリーダ回路１３は、第１目標値がブリーダ電流Ｉ１よりも大きい値に設定されていれば、ブリーダ電流Ｉ１をゼロとする。なお、電源回路１４は、ブリーダ電流Ｉ１がゼロとなっても、コンデンサＣ１１の充電電荷を放電することで制御電源電流Ｉccの供給を継続することができる。そして、入力電圧Ｖinが第１オン電圧Ｖ２１に等しくなる位相から入力電圧Ｖinが第１オン電圧Ｖ２１と第２オン電圧Ｖ２２の合計値に等しくなる位相までの区間（区間Ｍ２）では、第１ＬＥＤアレイ２のみが点灯し、第２ＬＥＤアレイ３は消灯している。
【００２５】
入力電圧Ｖinが第１オン電圧Ｖ２１と第２オン電圧Ｖ２２の合計値以上になると、第１ＬＥＤアレイ２とともに第２ＬＥＤアレイ３も導通し、かつ、第２駆動回路１２が動作する。第２駆動回路１２が動作すると、第１電路１７から第１ＬＥＤアレイ２、第２ＬＥＤアレイ３、ダイオードＤ１２、第２駆動回路１２を経て第２電路１８に電流Ｉ３が流れて第１ＬＥＤアレイ２及び第２ＬＥＤアレイ３が点灯する（図２参照）。第２駆動回路１２は、電源回路１４から制御電源電流Ｉccが供給され、電流Ｉ３を第２基準電圧Ｖ２に対応した第２目標値に一致させて定電流化するように動作する。ここで、第２電路１８に電流Ｉ３が流れることで抵抗Ｒ２７の両端電圧が上昇し、オペアンプＵ２のマイナス入力端子の入力電圧が上昇する。そのため、第１駆動回路１１はトランジスタＱ１をオフする。また、ブリーダ回路１３は、第２目標値がブリーダ電流Ｉ１よりも大きい値に設定されていれば、ブリーダ電流Ｉ１をゼロとする。なお、電源回路１４は、区間Ｍ２と同様に、ブリーダ電流Ｉ１がゼロとなっても、コンデンサＣ１１の充電電荷を放電することで制御電源電流Ｉccの供給を継続することができる。そして、入力電圧Ｖinが第１オン電圧Ｖ２１と第２オン電圧Ｖ２２の合計値に等しくなる位相から入力電圧Ｖinが第１オン電圧Ｖ２１と第２オン電圧Ｖ２２の合計値を下回る位相までの区間（区間Ｍ３）では、第１ＬＥＤアレイ２と第２ＬＥＤアレイ３の両方が点灯する。
【００２６】
点灯装置１Ａは、入力電圧Ｖinがピーク値を過ぎて第１オン電圧Ｖ２１と第２オン電圧Ｖ２２の合計値に等しくなる位相から入力電圧Ｖinが第１オン電圧Ｖ２１に等しくなる位相までの区間（区間Ｍ４）では、区間Ｍ２と同じ動作を行う。すなわち、区間Ｍ２〜Ｍ４が点灯期間となる。また、点灯装置１Ａは、入力電圧Ｖinが低下して第１オン電圧Ｖ２１に等しくなる位相からブリーダ回路１３が動作を停止する位相までの区間（区間Ｍ５）では、区間Ｍ１と同じ動作を行う。さらに、点灯装置１Ａは、入力電圧Ｖinが低下してブリーダ回路１３が動作を停止している区間（区間Ｍ６）では、区間Ｍ０と同じ動作を行う。すなわち、区間Ｍ０、Ｍ１、Ｍ５及びＭ６が消灯期間となる。
【００２７】
上述のように点灯装置１Ａは、入力電圧Ｖinの１周期において、入力電圧Ｖinを脈流から直流に変換することなく、区間Ｍ２〜Ｍ４で第１ＬＥＤアレイ２又は第１ＬＥＤアレイ２と第２ＬＥＤアレイ３を点灯させることができる。ただし、入力電圧Ｖinが調光器によって位相制御される場合、点灯装置１Ａは、区間Ｍ２〜Ｍ４において入力電圧Ｖinが第１オン電圧Ｖ２１以上である位相の区間にだけ第１ＬＥＤアレイ２又は第１ＬＥＤアレイ２と第２ＬＥＤアレイ３を点灯させる。つまり、点灯装置１Ａは、調光器に制御されて第１ＬＥＤアレイ２及び第２ＬＥＤアレイ３を調光点灯させることができる。また、点灯装置１Ａは、入力電圧Ｖinの１周期において、区間Ｍ０と区間Ｍ６を除く全ての区間（区間Ｍ１〜Ｍ５）で交流電源４から入力電流Ｉinを引き込むことができる。しかも、点灯装置１Ａは、従来例では固体光源の点灯に寄与していなかったブリーダ電流Ｉ１から制御電源電流Ｉccを生成して第１駆動回路１１及び第２駆動回路１２を動作させている。そのため、点灯装置１Ａは、従来例と比較して点灯効率の向上を図ることが可能である。また、点灯装置１Ａは、点灯効率の向上を図ることによって電力損失及び発熱量の低減を図ることが可能である。
【００２８】
（実施形態２）
実施形態２に係る点灯装置１Ｂは、図４に示すように、整流回路１０と、第１駆動回路１１と、第２駆動回路１２と、ブリーダ回路１３と、電源回路１４と、基準電圧回路１５と、フィルタ回路１６とを備えている。ただし、点灯装置１Ｂは、ブリーダ回路１３及び電源回路１４の構成を除いて実施形態１の点灯装置１Ａと共通の構成を有している。
【００２９】
点灯装置１Ｂのブリーダ回路１３は、点灯装置１Ａのブリーダ回路１３に対して、２つの抵抗Ｒ１、Ｒ３と電気的に直列接続された抵抗Ｒ２を有する点が異なっている。つまり、ブリーダ回路１３のシャントレギュレータＵ１は、２つの抵抗Ｒ１、Ｒ２に流れるブリーダ電流Ｉ１が増えてリファレンス端子の電圧が上昇すると、カソード端子からアノード端子に流す電流を増加させることでブリーダ電流Ｉ１を減らすように動作する。また、シャントレギュレータＵ１は、抵抗Ｒ１、Ｒ２に流れるブリーダ電流Ｉ１が減少してリファレンス端子の電圧が下降すると、カソード端子からアノード端子に流す電流を減少させることでブリーダ電流Ｉ１を増やすように動作する。ただし、点灯装置１Ｂにおける抵抗Ｒ１は、第１ＬＥＤアレイ２及び第２ＬＥＤアレイ３に電流Ｉ３が流れたときにシャントレギュレータＵ１のリファレンス端子に入力する電圧が内部の基準電圧を超えないような抵抗値を有している。
【００３０】
点灯装置１Ｂの電源回路１４は、点灯装置１Ａの電源回路１４に対して、ダイオードＤ７、抵抗Ｒ１０及びコンデンサＣ１４を有する点が異なっている。ダイオードＤ７のアノードがコンデンサＣ１１の一端（定電圧ダイオードＺＤ２のカソード）と電気的に接続されている。ダイオードＤ７のカソードが抵抗Ｒ１０を介してコンデンサＣ１４の一端と電気的に接続されている。コンデンサＣ１４の他端が第２電路１８と電気的に接続されている。ダイオードＤ７、抵抗Ｒ１０及びコンデンサＣ１４は、コンデンサＣ１１の両端電圧を平滑する平滑回路を構成している。
【００３１】
次に、図４及び図５を参照して点灯装置１Ｂの動作を説明する。図５は、入力電圧Ｖinの１周期（例えば、位相：０［rad］〜π［rad］）における入力電流Ｉinの変化を表している。ただし、消灯期間（区間Ｍ０、Ｍ１、Ｍ５及びＭ６）における点灯装置１Ｂの動作は、消灯期間（区間Ｍ０、Ｍ１、Ｍ５及びＭ６）における点灯装置１Ａの動作と共通であるから、説明を省略する。
【００３２】
点灯装置１Ｂのブリーダ回路１３は、区間Ｍ２〜Ｍ４（点灯期間）においてもブリーダ電流Ｉ１を流し続けるように構成されている（図５参照）。つまり、ブリーダ回路１３は、ブリーダ電流Ｉ１が流れているときの抵抗Ｒ２の両端電圧と、ブリーダ電流Ｉ１と電流Ｉ２が流れているときの抵抗Ｒ１の両端電圧とを加算した電圧がシャントレギュレータＵ１の内部の基準電圧以下となるように構成されている。具体的には、上記条件を満たすように抵抗Ｒ１とＲ２の抵抗値が設計されている。なお、抵抗Ｒ２の抵抗値は、区間Ｍ２〜Ｍ４（点灯期間）におけるブリーダ電流Ｉ１の大きさを、第１駆動回路１１及び第２駆動回路１２の消費電流（例えば、最大で約２［ｍＡ］）程度とするような値に設計されることが好ましい。
【００３３】
ただし、点灯装置１Ｂは、区間Ｍ２と区間Ｍ４においてブリーダ回路１３がブリーダ電流Ｉ１を流し、区間Ｍ３においてブリーダ回路１３がブリーダ電流Ｉ１を流さないように構成されてもよい（図６参照）。具体的には、第２駆動回路１２の第２目標値が、第１駆動回路１１の第１目標値よりも大きい値（第１駆動回路１１及び第２駆動回路１２の消費電流の最大値程度の値）に設計されることが好ましい。このように区間Ｍ３においてブリーダ回路１３がブリーダ電流Ｉ１を流さないように構成されれば、点灯装置１Ｂは、回路損失の低減を図りつつ制御電源電流Ｉccの安定化を図ることができる。
【００３４】
上述のようにブリーダ回路１３が区間Ｍ２〜Ｍ４（又は区間Ｍ２とＭ４）の点灯期間にもブリーダ電流Ｉ１を流せば、電源回路１４は、ブリーダ電流Ｉ１に対して制御電源電流Ｉccが大きくなる状態でも制御電源電流Ｉccを安定して供給することができる。また、ブリーダ回路１３は、区間Ｍ１から区間Ｍ２及び区間Ｍ４から区間Ｍ５への移行時におけるブリーダ電流Ｉ１の制御に対する応答性の向上を図ることができる。その結果、点灯装置１Ｂは、区間Ｍ１から区間Ｍ２及び区間Ｍ４から区間Ｍ５への移行時における入力電流Ｉinの変化量を減少させて雑音端子電圧の低減を図ることができる。
【００３５】
（実施形態３）
実施形態３に係る点灯装置１Ｃは、図７に示すように、整流回路１０と、第１駆動回路１１と、第２駆動回路１２と、ブリーダ回路１３と、電源回路１４と、基準電圧回路１５と、フィルタ回路１６とを備えている。ただし、点灯装置１Ｃは、ブリーダ回路１３の構成及びダイオードＤ１１の位置を除いて実施形態２の点灯装置１Ｂと共通の構成を有している。
【００３６】
点灯装置１Ｃのブリーダ回路１３において、抵抗Ｒ９の第２端が平滑用のコンデンサＣ１２の高電位側の一端と電気的に接続されている。また、ダイオードＤ１１のアノードがダイオードＤ６のアノードと電気的に接続され、ダイオードＤ１１のカソードがコンデンサＣ１２の高電位側の一端及び抵抗Ｒ９の第２端と電気的に接続されている。つまり、点灯装置１Ｃのブリーダ回路１３は、トランジスタＱ５のゲートに、コンデンサＣ１２で平滑された電圧Ｖ１２を印加するように構成されている。
【００３７】
電圧Ｖ１２は、脈流の入力電圧ＶinをコンデンサＣ１２で部分的に平滑した電圧となる（図８参照）。すなわち、点灯装置１Ｃのブリーダ回路１３は、入力電圧Ｖinのゼロクロス付近においても電圧Ｖ１２でトランジスタＱ５のゲートをバイアスし、区間Ｍ０、Ｍ６においてもトランジスタＱ５を動作させ続けることができる。ただし、ブリーダ回路１３は、区間Ｍ０、Ｍ６においてトランジスタＱ５を動作させてはいるが、入力電圧Ｖinが定電圧ダイオードＺＤ２のツェナー電圧よりも低い場合はブリーダ電流Ｉ１を流すことができない。
【００３８】
また、図９に示すように、入力電圧Ｖinが調光器によって位相制御される場合において、調光器のトライアックがオフしている期間（例えば、入力電圧Ｖinのゼロクロスからピーク値までの期間）においても電圧Ｖ１２でトランジスタＱ５をバイアスできる。点灯装置１Ｃのブリーダ回路１３は、入力電圧Ｖinが位相制御されている場合であっても、区間Ｍ０、Ｍ６においてトランジスタＱ５を動作させてドレイン電流を流すことができる（図９参照）。その結果、点灯装置１Ｃは、調光器のトライアックがオフしている区間に入力電流Ｉin（トランジスタＱ５のドレイン電流）を流すことにより、調光器に駆動電流を流すことができる。しかも、点灯装置１Ｃは、点灯装置１Ａ、１Ｂに対して、ブリーダ回路１３のバイアス用の電源を確保するために回路を追加する必要がないので、回路構成の複雑化や製造コストの上昇を抑えることができる。
【００３９】
（実施形態４）
実施形態４に係る点灯装置１Ｄは、図１０に示すように、実施形態３の点灯装置１Ｃに対して３つのダイオードＤ１３、Ｄ１４、Ｄ１５が追加されている。さらに、点灯装置１Ｄは、コンデンサＣ１３の両端に第２ＬＥＤアレイ３が接続されていない。つまり、点灯装置１Ｄは、第１ＬＥＤアレイ２のみを点灯させるように構成されている。
【００４０】
ダイオードＤ１３のアノードが第１ＬＥＤアレイ２の負極と電気的に接続されている。ダイオードＤ１３のカソードがコンデンサＣ１３の高電位側の一端と電気的に接続されている。ダイオードＤ１４は、第２駆動回路１２と電気的に並列接続されている。ただし、ダイオードＤ１４のカソードがコンデンサＣ１３の低電位側の一端と電気的に接続されている。ダイオードＤ１５のカソードが第１ＬＥＤアレイ２の正極と電気的に接続されている。ダイオードＤ１５のアノードがダイオードＤ１３のカソード及びコンデンサＣ１３の高電位側の一端と電気的に接続されている。
【００４１】
点灯装置１Ｄは、区間Ｍ３において、第１ＬＥＤアレイ２、ダイオードＤ１３、コンデンサＣ１３、第２駆動回路１２の経路に電流Ｉ３を流すことで第１ＬＥＤアレイ２を点灯しつつコンデンサＣ１３を充電する。また、点灯装置１Ｄは、区間Ｍ２及び区間Ｍ４において、整流回路１０から出力される入力電流Ｉin（Ｉ２）を第１ＬＥＤアレイ２から第１駆動回路１１に流すことで第１ＬＥＤアレイ２を点灯させる。さらに、点灯装置１Ｄは、入力電圧Ｖinが第１オン電圧Ｖ２１未満である区間Ｍ０、Ｍ１、Ｍ５、Ｍ６において、コンデンサＣ１３から放電される電流Ｉ４をダイオードＤ１５、第１ＬＥＤアレイ２、第１駆動回路１１、ダイオードＤ１４の経路に流す。なお、電流Ｉ４は、第１駆動回路１１によって定電流化される。つまり、点灯装置１Ｄは、入力電圧Ｖinのゼロクロス付近でも第１ＬＥＤアレイ２に電流Ｉ４を流すことにより、入力電圧Ｖinの１周期における全区間Ｍ０〜Ｍ６において第１ＬＥＤアレイ２を点灯させることができる。その結果、点灯装置１Ｄは、光（第１ＬＥＤアレイ２から放射される光）の変動（リップル）を抑制することができる。
【００４２】
（実施形態５）
実施形態５に係る点灯装置１Ｅは、図１１に示すように、２つのブリーダ回路（第１ブリーダ回路１３Ａ、第２ブリーダ回路１３Ｂ）と２つの電源回路（第１電源回路１４Ａ、第２電源回路１４Ｂ）とを備えている。ただし、点灯装置１Ｅは、ブリーダ回路と電源回路以外の構成として、実施形態３の点灯装置１Ｃ又は実施形態４の点灯装置１Ｄと共通の構成を有している。
【００４３】
第１電源回路１４Ａは、点灯装置１Ｃ、１Ｄの電源回路１４と共通の構成を有している。また、第１ブリーダ回路１３Ａは、点灯装置１Ｃ、１Ｄのブリーダ回路１３と共通の構成を有している。第１ブリーダ回路１３Ａは、入力電圧Ｖinが第１電源回路１４Ａの定格電源電圧Ｖcc１以上である場合に第１電源回路１４Ａに第１ブリーダ電流Ｉ１Ａを流すことができる。
【００４４】
第２電源回路１４Ｂは、コンデンサＣ３０と定電圧ダイオードＺＤ４の並列回路で構成されている。第２ブリーダ回路１３Ｂは、トランジスタＱ６、シャントレギュレータＵ５、定電圧ダイオードＺＤ５、抵抗Ｒ３８、Ｒ４０、Ｒ４１、Ｒ４２、Ｒ４３、ダイオードＤ１７及びコンデンサＣ３１を有している。ダイオードＤ１７のアノードが第１電路１７に電気的に接続されている。ダイオードＤ１７のカソードがトランジスタＱ６のドレインに電気的に接続されている。トランジスタＱ６は、エンハンスメント形のｎチャンネルＭＯＳＦＥＴである。トランジスタＱ６のソースが抵抗Ｒ４２の第１端に電気的に接続されている。抵抗Ｒ４２の第２端が第２電源回路１４Ｂの正極（定電圧ダイオードＺＤ４のカソード）と電気的に接続されている。トランジスタＱ６のゲートは、抵抗Ｒ４３の第１端、シャントレギュレータＵ５のカソード端子、コンデンサＣ３１の一端及び定電圧ダイオードＺＤ５のカソードと電気的に接続されている。抵抗Ｒ４３の第２端は、第１ブリーダ回路１３Ａの抵抗Ｒ９の第２端（第１ＬＥＤアレイ２の正極）と電気的に接続されている。シャントレギュレータＵ５のアノード端子と定電圧ダイオードＺＤ５のアノードが第２電路１８に電気的に接続されている。シャントレギュレータＵ５のリファレンス端子が抵抗Ｒ４１の第１端及びコンデンサＣ３１の他端と電気的に接続されている。抵抗Ｒ４１の第２端が抵抗Ｒ３８の第１端と電気的に接続されている。抵抗Ｒ４０は、第２電路１８においてシャントレギュレータＵ５のアノード端子と抵抗Ｒ３８との間に挿入されている。第２ブリーダ回路１３Ｂは、入力電圧Ｖinが第２電源回路１４Ｂの定格電源電圧（定電圧ダイオードＺＤ４のツェナー電圧に等しい電圧）Ｖcc２以上である場合に第２電源回路１４Ｂに第２ブリーダ電流Ｉ１Ｂを流すことができる。なお、第２電源回路１４Ｂは、第１電源回路１４Ａの定格電源電圧Ｖcc１よも高い定格電源電圧Ｖcc２を生成するように構成されることが好ましい。一例として、第１電源回路１４Ａの定格電源電圧Ｖcc１が１２［Ｖ］、第２電源回路１４Ｂの定格電源電圧Ｖcc２が２４［Ｖ］であればよい。
【００４５】
次に、図１１及び図１２を参照して点灯装置１Ｅの動作を説明する。図１２は、入力電圧Ｖinの１周期における入力電流Ｉinの変化を表している。ただし、区間Ｍ０、Ｍ２〜Ｍ４及びＭ６における点灯装置１Ｅの動作は、区間Ｍ０、Ｍ２〜Ｍ４及びＭ６における点灯装置１Ｃ又は１Ｄの動作と共通であるから、説明を省略する。
【００４６】
入力電圧Ｖinが第１電源回路１４Ａの定格電源電圧Ｖcc１を超えると第１ブリーダ回路１３Ａが第１ブリーダ電流Ｉ１Ａを流し始める（図１２における区間Ｍ１Ａ参照）。第１ブリーダ電流Ｉ１Ａが流れると、第１電源回路１４Ａが第１駆動回路１１及び第２駆動回路１２へ制御電源電流Ｉccを供給する。
【００４７】
続いて、入力電圧Ｖinが第２電源回路１４Ｂの定格電源電圧Ｖcc２を超えると第２ブリーダ回路１３Ｂが第２ブリーダ電流Ｉ１Ｂを流し始める（図１２における区間Ｍ１Ｂ参照）。第２ブリーダ電流Ｉ１Ｂが流れると、第２電源回路１４Ｂが第１駆動回路１１及び第２駆動回路１２へ制御電源電流Ｉccを供給する。なお、第１ブリーダ回路１３Ａは、第１ブリーダ電流Ｉ１Ａが流れるときの抵抗Ｒ２の両端電圧と、第１及び第２ブリーダ電流Ｉ１Ａ、Ｉ１Ｂが流れるときの抵抗Ｒ１の両端電圧とを加算した電圧がシャントレギュレータＵ１の基準電圧以下となるように構成される。
【００４８】
また、入力電圧Ｖinが区間Ｍ２〜Ｍ４を経過し、入力電圧Ｖinが第１オン電圧Ｖ２１を下回ると、第２ブリーダ回路１３Ｂが第２ブリーダ電流Ｉ１Ｂを流し、かつ、第１ブリーダ回路１３Ａが第１ブリーダ電流Ｉ１Ａを流す（図１２における区間Ｍ５Ｂ参照）。入力電圧Ｖinが第２電源回路１４Ｂの定格電源電圧Ｖcc２を下回ると第２ブリーダ回路１３Ｂが第２ブリーダ電流Ｉ１Ｂを停止する（図１２における区間Ｍ５Ａ参照）。さらに、入力電圧Ｖinが第１電源回路１４Ａの定格電源電圧Ｖcc１を下回ると第１ブリーダ回路１３Ａも第１ブリーダ電流Ｉ１Ａを停止する（図１２における区間Ｍ６参照）。
【００４９】
上述のように点灯装置１Ｅは、複数のブリーダ回路と複数の電源回路を備えることにより、交流電源４から入力する入力電流Ｉinの波形を正弦波に近付けることができる。その結果、点灯装置１Ｅは、入力電流Ｉinの高調波歪みの低減を図ることができる。また、点灯装置１Ｅは、力率の改善と伝導ノイズの低減とを図ることができる。
【００５０】
（実施形態６）
実施形態６に係る点灯装置１Ｆは、図１３に示すように、整流回路１０と、第１駆動回路１１と、第２駆動回路１２と、ブリーダ回路１３と、電源回路１４と、基準電圧回路１５と、フィルタ回路１６とを備えている。ただし、点灯装置１Ｆは、ブリーダ回路１３の構成を除いて実施形態４の点灯装置１Ｄと共通の構成を有している。
【００５１】
点灯装置１Ｆのブリーダ回路１３は、シャントレギュレータＵ１の代わりに、電流出力形の演算増幅器（OTA:Operational Transconductance Amplifier）を用いてトランジスタＱ５のゲート電圧をフィードバック制御している。
【００５２】
ブリーダ回路１３は、図１３に示すように、入力電圧検出回路１３０と、制御回路１３１と、トランジスタＱ５と、ダイオードＤ６と、コンデンサＣ２８及び抵抗Ｒ３７からなるフィルタ回路と、抵抗Ｒ８及び定電圧ダイオードＺＤ７からなる電流制限回路とを有している。
【００５３】
入力電圧検出回路１３０は、定電圧ダイオードＺＤ６及び２つの分圧抵抗Ｒ３３、Ｒ３４の直列回路と、分圧抵抗Ｒ３４に電気的に並列接続されるコンデンサＣ２６及び定電圧ダイオードＺＤ３とを備えている。定電圧ダイオードＺＤ６のカソードが第１電路１７（ダイオードＤ１１のアノード）と電気的に接続され、定電圧ダイオードＺＤ６のアノードが分圧抵抗Ｒ３３の第１端と電気的に接続されている。分圧抵抗Ｒ３３の第２端が分圧抵抗Ｒ３４の第１端とコンデンサＣ２６の第１端と定電圧ダイオードＺＤ３のカソードに電気的に接続されている。分圧抵抗Ｒ３４の第２端とコンデンサＣ２６の第２端と定電圧ダイオードＺＤ３のアノードが第２電路１８に電気的に接続されている。なお、定電圧ダイオードＺＤ６は、電源回路１４の定格電源電圧Ｖccと等しいツェナー電圧を有している。入力電圧検出回路１３０は、入力電圧Ｖinを分圧抵抗Ｒ３３、Ｒ３４で分圧した電圧（入力電圧Ｖinに比例した電圧）を検出電圧として制御回路１３１に出力する。ただし、この検出電圧は、定電圧ダイオードＺＤ６のツェナー電圧でオフセットされている。つまり、入力電圧Ｖinがツェナー電圧を超えてツェナー電流が流れ始めた後、入力電圧Ｖinの上昇に伴ってツェナー電流が増加するにつれて、検出電圧も徐々に上昇する。
【００５４】
制御回路１３１は、ＯＴＡからなるオペアンプＵ４と、抵抗Ｒ１、Ｒ９、Ｒ３５、Ｒ３６と、コンデンサＣ２７とを有している。オペアンプＵ４のプラス入力端子が入力電圧検出回路１３０の出力端子（抵抗Ｒ３４の第１端）と電気的に接続されている。オペアンプＵ４のマイナス入力端子が抵抗Ｒ３５の第１端及びコンデンサＣ２７の第１端と電気的に接続されている。オペアンプＵ４の出力端子は、抵抗Ｒ３６の第１端、抵抗Ｒ９の第１端及びトランジスタＱ５のゲートと電気的に接続されている。抵抗Ｒ３５の第２端は第２電路１８に挿入されている抵抗Ｒ１の一端と電気的に接続されている。抵抗Ｒ３６の第２端はコンデンサＣ２７の第２端と電気的に接続されている。オペアンプＵ４は、プラス入力端子の入力電圧（入力電圧検出回路１３０の検出電圧）と、マイナス入力端子の入力電圧（ブリーダ電流Ｉ１に比例した電圧）との差に比例した直流電流（出力電流）を出力端子から出力する。オペアンプＵ４の出力電流が大きい程、トランジスタＱ５のゲートに印加される電圧が高くなり、トランジスタＱ５のドレイン電流（ブリーダ電流Ｉ１）が増加する。
【００５５】
フィルタ回路を構成するコンデンサＣ２８は、オペアンプＵ４の電源端子間に電気的に接続されている。フィルタ回路を構成する抵抗Ｒ３７は、オペアンプＵ４のプラス側の電源端子と電源回路１４の定電圧ダイオードＺＤ２のカソードの間に電気的に接続されている。すなわち、フィルタ回路はローパスフィルタ（ＲＣ積分回路）であって、オペアンプＵ４の電源端子間に入力される定格電源電圧Ｖccの変化を緩やかにするように構成されている。
【００５６】
電流制限回路を構成する抵抗Ｒ８は、トランジスタＱ５のソースと電源回路１４のコンデンサＣ１１の高電位側の端子の間に電気的に接続されている。電流制限回路を構成する定電圧ダイオードＺＤ７のカソードがトランジスタＱ５のゲートと電気的に接続され、定電圧ダイオードＺＤ７のアノードが電源回路１４のコンデンサＣ１１の高電位側の端子と電気的に接続されている。電流制限回路は、オペアンプＵ４が動作していない状態において、トランジスタＱ５のゲート・ソース間電圧を定電圧ダイオードＺＤ７のツェナー電圧でクランプすることによってトランジスタＱ５のドレイン電流を制限するように動作する。
【００５７】
次に、図１３及び図１４を参照して点灯装置１Ｆの動作を説明する。図１４は、入力電圧Ｖinの１周期における入力電流Ｉinの変化を表している。ただし、区間Ｍ２〜Ｍ４における点灯装置１Ｆの動作は、区間Ｍ２〜Ｍ４における点灯装置１Ｄの動作と共通であるから、説明を省略する。
【００５８】
入力電圧Ｖinがゼロクロス（位相：０［rad］）を過ぎて電源回路１４の定格電源電圧Ｖccを超えるまでの区間Ｍ０では、第１ＬＥＤアレイ２、第２ＬＥＤアレイ３及びブリーダ回路１３が全て停止している。そのため、入力電流Ｉinはゼロとなる。入力電圧Ｖinが定格電源電圧Ｖccを超えると、電源回路１４の定電圧ダイオードＺＤ２が導通してブリーダ電流Ｉ１が流れ始める。ただし、入力電圧検出回路１３０からオペアンプＵ４のプラス入力端子に印加される検出電圧は、入力電圧Ｖinが定格電源電圧Ｖccを超えて定電圧ダイオードＺＤ６が導通した後に０［Ｖ］から入力電圧Ｖinに比例して徐々に上昇する。したがって、制御回路１３１は、区間Ｍ１において、入力電圧Ｖinに比例するようにトランジスタＱ５のゲート電圧を徐々に上昇させてブリーダ電流Ｉ１をゼロから漸増させる（図１４参照）。
【００５９】
一方、入力電圧Ｖinがピーク値を過ぎて第１オン電圧Ｖ２１を下回って第１駆動回路１１が停止すると、ブリーダ回路１３が動作してブリーダ電流Ｉ１を流し始める。そして、制御回路１３１は、区間Ｍ５において、入力電圧Ｖinに比例するようにトランジスタＱ５のゲート電圧を徐々に下降させてブリーダ電流Ｉ１をゼロまで漸減させる（図１４参照）。
【００６０】
上述のように点灯装置１Ｆは、入力電圧Ｖinに比例してブリーダ電流Ｉ１を徐々に増減するブリーダ回路１３を備えているので、入力電流Ｉinをステップ状に変化させる場合と比較して、入力電流Ｉinに含まれる高調波成分の低減を図ることができる。
【００６１】
なお、入力電圧検出回路１３０は、定電圧ダイオードＺＤ６を有していなくてもよい。入力電圧検出回路１３０が定電圧ダイオードＺＤ６を有していない場合、入力電圧検出回路１３０の検出電圧は、入力電圧Ｖinがゼロクロスを過ぎると同時に０［Ｖ］から入力電圧Ｖinに比例して徐々に上昇する。したがって、制御回路１３１は、区間Ｍ１において、入力電圧Ｖinに比例するようにトランジスタＱ５のゲート電圧を徐々に上昇させてブリーダ電流Ｉ１をゼロよりも大きい所定値から漸増させる（図１５参照）。また、制御回路１３１は、区間Ｍ５において、入力電圧Ｖinに比例するようにトランジスタＱ５のゲート電圧を徐々に下降させてブリーダ電流Ｉ１をゼロよりも大きい所定値まで漸減させる（図１５参照）。
【００６２】
上述のように実施形態１〜６に係る点灯装置１Ａ〜１Ｆは、（交流電源４の）交流電圧を整流して脈流電圧（入力電圧Ｖin）を出力する整流回路１０と、駆動回路（第１駆動回路１１、第２駆動回路１２）と、ブリーダ回路１３と、電源回路１４とを備えている。駆動回路は、入力電圧Ｖinの１周期内において、固体光源（ＬＥＤ２０、３０）に電流を供給する点灯期間（区間Ｍ２〜Ｍ４）と固体光源に電流を供給しない消灯期間（区間Ｍ０、Ｍ１、Ｍ５、Ｍ６）とを入力電圧Ｖinの電圧値に応じて切り替える。ブリーダ回路１３は、少なくとも消灯期間に整流回路１０の出力端間にブリーダ電流Ｉ１を流す。電源回路１４は、定電圧回路（定電圧ダイオードＺＤ２）とコンデンサＣ１１の並列回路を有し、コンデンサＣ１１から放電される電流（制御電源電流Ｉcc）を駆動回路に供給する。さらに、ブリーダ回路１３は、ブリーダ電流Ｉ１を並列回路（定電圧ダイオードＺＤ２及びコンデンサＣ１１）に供給する。電源回路１４は、ブリーダ電流Ｉ１で充電されるコンデンサＣ１１から駆動回路に給電する。
【００６３】
点灯装置１Ａ〜１Ｆは上述のように構成されるので、ブリーダ電流Ｉ１の一部を駆動回路の駆動電流（制御電源電流Ｉcc）に利用することにより、従来例と比較して点灯効率の向上を図ることが可能である。
【００６４】
点灯装置１Ｂ〜１Ｆにおいて、ブリーダ回路１３は、点灯期間に流すブリーダ電流Ｉ１を、消灯期間に流すブリーダ電流よりも小さくすることが好ましい。
【００６５】
点灯装置１Ｂ〜１Ｆが上述のように構成されれば、電源回路１４から第１駆動回路１１及び第２駆動回路１２に対して安定して給電することができる。
【００６６】
また、点灯装置１Ａ〜１Ｆにおいて、ブリーダ回路１３は、ブリーダ電流Ｉを定電流化することが好ましい。
【００６７】
点灯装置１Ａ〜１Ｆが上述のように構成されれば、位相制御を行う調光器の動作を安定させることができる。
【００６８】
点灯装置１Ｆにおいて、ブリーダ回路１３は、ブリーダ電流Ｉ１の大きさを脈流電圧（入力電圧Ｖin）の電圧値に比例させることが好ましい。
【００６９】
点灯装置１Ｆが上述のように構成されれば、入力電流Ｉinの変動を抑えて入力電流Ｉinに含まれる高調波成分の低減を図ることができる。
【００７０】
点灯装置１Ａ〜１Ｆにおいて、定電圧回路は、定電圧ダイオードＺＤ２を有していることが好ましい。
【００７１】
点灯装置１Ａ〜１Ｆが上述のように構成されれば、定電圧回路の回路構成の簡素化を図ることができる。
【００７２】
点灯装置１Ｃ〜１Ｆにおいて、固体光源（ＬＥＤ２０）に電気的に並列接続されて固体光源に供給する電流を平滑する平滑コンデンサＣ１２を備えることが好ましい。ブリーダ回路１３は、トランジスタＱ５によってブリーダ電流Ｉ１を調整するように構成されることが好ましい。トランジスタＱ５は、少なくとも消灯期間においては平滑コンデンサＣ１２から給電されて動作することが好ましい。
【００７３】
点灯装置１Ｃ〜１Ｆが上述のように構成されれば、消灯期間においてもトランジスタＱ５を動作させることにより、調光器のトライアックがオフしている区間にも入力電流Ｉinを流すことができる。その結果、点灯装置１Ｃ〜１Ｆは、調光器に駆動電流を流すことができる。しかも、点灯装置１Ｃ〜１Ｆは、ブリーダ回路１３のバイアス用の電源を確保するために回路を追加する必要がないので、回路構成の複雑化や製造コストの上昇を抑えることができる。
【００７４】
点灯装置１Ｅにおいて、消灯期間は、第１消灯期間（区間Ｍ１Ａ）と第２消灯期間（区間Ｍ１Ｂ）とを含んでいる。ブリーダ回路は、少なくとも第１消灯期間（区間Ｍ１Ａ）に第１ブリーダ電流Ｉ１Ａを流す第１ブリーダ回路１３Ａを有することが好ましい。さらに、点灯装置１Ｅにおいて、第１消灯期間における脈流電圧（入力電圧Ｖin）の電圧値よりも脈流電圧の電圧値が高い第２消灯期間（区間Ｍ１Ｂ）に第２ブリーダ電流Ｉ１Ｂを流す第２ブリーダ回路１３Ｂを有することが好ましい。電源回路は、第１定電圧回路（定電圧ダイオードＺＤ２）と第１コンデンサＣ１１の並列回路を有し、第１消灯期間に第１コンデンサＣ１１から放電される電流を駆動回路に供給する第１電源回路１４Ａを有することが好ましい。さらに、電源回路は、第２定電圧回路（定電圧ダイオードＺＤ４）と第２コンデンサＣ３０の並列回路を有し、第２消灯期間に第２コンデンサＣ３０から放電される電流を駆動回路に供給する第２電源回路１４Ｂを有することが好ましい。第２ブリーダ回路１３Ｂは、第２ブリーダ電流Ｉ１Ｂを第２電源回路１４Ｂに供給することが好ましい。第１ブリーダ回路１３Ａは、第１ブリーダ電流Ｉ１Ａを第１電源回路１４Ａに供給し、かつ、第１消灯期間における第１ブリーダ電流Ｉ１Ａを、第２消灯期間における第１ブリーダ電流Ｉ１Ａよりも小さく（例えば、ゼロに）することが好ましい。
【００７５】
点灯装置１Ｅが上述のように構成されれば、複数のブリーダ回路と複数の電源回路を備えることにより、交流電源４から入力する入力電流Ｉinの波形を正弦波に近付けることができる。その結果、点灯装置１Ｅは、入力電流Ｉinの高調波歪みの低減を図ることができる。また、点灯装置１Ｅは、力率の改善と伝導ノイズの低減とを図ることができる。
【００７６】
（実施形態７）
以下、実施形態７に係る照明器具について詳細に説明する。
【００７７】
図１６Ａは本実施形態に係る照明器具５Ａの斜視図である。
【００７８】
この照明器具５Ａは、実施形態１〜６の点灯装置１Ａ〜１Ｆのいずれか１つと、いずれか１つの点灯装置１Ａ〜１Ｆを収容する本体５０Ａとを備えている。
【００７９】
照明器具５Ａは、天井に埋込配設されるダウンライトとして構成される。照明器具５Ａは、第１ＬＥＤアレイ２、第２ＬＥＤアレイ３と点灯装置１Ａ〜１Ｆのいずれか１つとを収容する本体５０Ａと、反射板６１とを備えている。本体５０Ａは、複数枚の放熱フィン６２を上部に備えている。本体５０Ａからは電源ケーブル６３が導出されている。電源ケーブル６３は、本体５０Ａに収容された点灯装置と、交流電源４とを電気的に接続している。
【００８０】
また、照明器具は、ダウンライトとして構成された照明器具に限定されず、スポットライトとして構成された照明器具でもよいし、その他の形態に構成された照明器具でもよい。
【００８１】
図１６Ｂ及び図１６Ｃは、配線ダクト７に取り付けられるスポットライトとして構成された照明器具５Ｂ、５Ｃである。
【００８２】
図１６Ｂ及び図１６Ｃは、配線ダクト７に取り付けられるスポットライトとしてそれぞれ構成された照明器具５Ｂ（変形例１）、照明器具５Ｃ（変形例２）である。
【００８３】
変形例１の照明器具５Ｂは、図１６Ｂに示すように、本体５０Ｂと、反射板６４と、コネクタ部６５と、アーム部６６とを備える。本体５０Ｂは、第１ＬＥＤアレイ２、第２ＬＥＤアレイ３と点灯装置１Ａ〜１Ｆのいずれか１つとを収容する。コネクタ部６５は、配線ダクト７に装着される。アーム部６６は、コネクタ部６５と本体５０Ｂとを結合する。本体５０Ｂに収容された点灯装置（点灯装置１Ａ〜１Ｆのいずれか１つ）とコネクタ部６５とは、電源ケーブル６７を介して接続されている。
【００８４】
また、変形例２の照明器具５Ｃは、図１６Ｃに示すように、本体５０Ｃと、ボックス６８と、連結部７０と、電源ケーブル７１とを備えている。本体５０Ｃは第１ＬＥＤアレイ２、第２ＬＥＤアレイ３を収容する。ボックス６８は点灯装置（点灯装置１Ａ〜１Ｆのいずれか１つ）を収容する。連結部７０は本体５０Ｃとボックス６８とを連結する。電源ケーブル７１は、本体５０Ｃに収容された第１ＬＥＤアレイ２、第２ＬＥＤアレイ３と、ボックス６８に収容された点灯装置（点灯装置１Ａ〜１Ｆのいずれか１つ）とを電気的に接続する。なお、ボックス６８の上面には、配線ダクト７と着脱可能な状態で電気的且つ機械的に接続されるコネクタ部６９が設けられる。
【００８５】
上述のように照明器具（照明器具５Ａ、照明器具５Ｂ及び照明器具５Ｃ）は、点灯装置（点灯装置１Ａ〜１Ｆのいずれか１つ）と、点灯装置を保持する本体（本体５０Ａ、本体５０Ｂ又は本体５０Ｃ）とを備えている。
【００８６】
照明器具は上述のように構成されるので、点灯装置（点灯装置１Ａ〜１Ｆのいずれか１つ）を備えるので、点灯効率の向上を図ることが可能となる。
【符号の説明】
【００８７】
１Ａ〜１Ｆ  点灯装置
５Ａ〜５Ｃ  照明器具
１０  整流回路
１１  第１駆動回路（駆動回路）
１２  第２駆動回路（駆動回路）
１３  ブリーダ回路
１３Ａ  第１ブリーダ回路
１３Ｂ  第２ブリーダ回路
１４  電源回路
１４Ａ  第１電源回路
１４Ｂ  第２電源回路
２０  ＬＥＤ（固体光源）
３０  ＬＥＤ（固体光源）
５０Ａ、５０Ｂ、５０Ｃ  本体
ＺＤ２  定電圧ダイオード（定電圧回路）
Ｃ１１  コンデンサ
Ｉin  入力電流
Ｖin  入力電圧（脈流電圧）
ＺＤ４  定電圧ダイオード（第２定電圧回路）
Ｃ３０  第２コンデンサ
Ｉ１  ブリーダ電流
Ｉ１Ａ  第１ブリーダ電流
Ｉ１Ｂ  第２ブリーダ電流
【図１】
2018101548.tif 000003
【図２】
2018101548.tif 000004
【図３】
2018101548.tif 000005
【図４】
2018101548.tif 000006
【図５】
2018101548.tif 000007
【図６】
2018101548.tif 000008
【図７】
2018101548.tif 000009
【図８】
2018101548.tif 000010
【図９】
2018101548.tif 000011
【図１０】
2018101548.tif 000012
【図１１】
2018101548.tif 000013
【図１２】
2018101548.tif 000014
【図１３】
2018101548.tif 000015
【図１４】
2018101548.tif 000016
【図１５】
2018101548.tif 000017
【図１６】
2018101548.tif 000018